(57)【要約】【課題】  専ら防犯のために使用する照明器具を不要とし、不審者等の接近・侵入が検知されたとき、通常時に使用する照明器具を点灯等させて効果的に犯行を防止できる防犯システムを提供する。【解決手段】  家屋Ｈ内または家屋Ｈの付近に、電灯線１に接続した照明器具２（２Ａなど）を設けるとともに人感センサー４（４Ａなど）を設け、人感センサー４が発する人感信号を受けて、上記照明器具２が消灯しているときそれを点灯もしくは点滅させ、または上記照明器具２が点灯しているときそれを点滅させるコントローラー１０を、上記照明器具２とは並列に電灯線１に接続して設ける。【選択図】      図１
2008310825.tif 000002
【特許請求の範囲】
【請求項１】
家屋内または家屋付近に、電灯線に接続された照明器具が設けられるとともに人感センサーが設けられており、
人感センサーが発する人感信号を受けて、上記照明器具が消灯しているときそれを点灯もしくは点滅させ、または上記照明器具が点灯しているときそれを点滅させるコントローラーが、上記照明器具とは並列に電灯線に接続されて設けられている
ことを特徴とする防犯システム。
【請求項２】
通常時に点灯および消灯させるための通常操作スイッチを上記の照明器具が有しているほか、
人感センサーによる人感信号に応じて動作し、上記照明器具が消灯しているときそれを点灯もしくは点滅させ、または上記照明器具が点灯しているときそれを点滅させる特異操作スイッチを上記のコントローラーが有している
ことを特徴とする請求項１に記載の防犯システム。
【請求項３】
上記照明器具が家屋における区域ごとに設けられているほか、人感センサーも家屋における区域ごとに配置されていて、人感信号を発した人感センサーに応じて、定められた区域の照明器具をコントローラが点灯または点滅させることを特徴とする請求項１または２に記載の防犯システム。
【請求項４】
家屋内または家屋付近に音声発生器が設けられていて、
上記のコントローラーが、人感センサーが発する人感信号を受けて当該音声発生器をも動作させることを特徴とする請求項１〜３のいずれかに記載の防犯システム。
【請求項５】
上記のコントローラーが、人感センサーが発する人感信号を受けて、先に照明器具を点灯または点滅させ、時間をおいて音声発生器を動作させることを特徴とする請求項４に記載の防犯システム。
【請求項６】
上記のコントローラーによる照明器具の点灯または点滅が、ワイヤレスの手段によって行われることを特徴とする請求項１〜５のいずれかに記載の防犯システム。
【発明の詳細な説明】
【技術分野】
【０００１】
請求項に係る発明は、留守中の家屋や居室に接近しまたは侵入する者を検知したとき、家屋の照明器具を点灯させるなどして、その者を威嚇したり居住者や隣人等に警告したりする機能をもつ防犯システムに関するものである。
【背景技術】
【０００２】
留守中の家屋に接近する者がいるとき屋内の照明器具を点灯等させる防犯システムは、たとえば下記の特許文献１に記載されている。
【０００３】
当該文献１に記載の防犯システムは、図７に示す構成を有している。すなわち、人の接近を検知する検知手段やそれによる信号を発する発信手段等を有する外部装置１０Ｘと、当該外部装置１０Ｘからの信号に応じて動作する自動スイッチ手段等を有する内部装置１０Ｙとを含んでいる。一部の照明器具２Ｙをこの内部装置１０Ｙに接続しておけば、外部装置１０Ｘにて人の接近を検知したとき、内部装置１０Ｙの作用で当該照明器具２Ｙを自動的に点灯させることができる。照明器具２Ｙが点灯すると、居住者が室内にいるように見えるので、不審者の侵入を未然に防止することができる。
【特許文献１】特開平１１−２０３５７９号公報
【発明の開示】
【発明が解決しようとする課題】
【０００４】
上記の特許文献１に記載されている防犯システム（図７参照）では、防犯用として使用する照明器具２Ｙが、内部装置１０Ｙ（防犯システムの一部）を介して電灯線（電源）１に接続されることから、つぎのような不都合がある。すなわち、
i)  専ら防犯のために使用する照明器具２Ｙを、通常に使用する照明器具（図７中の符号２）とは別に用意しなければならない。
ii)  そのような照明器具２Ｙをたくさん用意することは費用や設置スペースの点で一般的には難しいため、接近したり侵入したりした不審者を強く驚かせたり威嚇したりする作用は期待できない。
iii)  通常時には使用しないその照明器具２Ｙ（通常時は内部装置１０Ｙがオフとなっているため使用できない）については、手もとのスイッチを切ってしまったりコンセントを内部装置１０Ｙから外してしまったりしがちであると予想されるが、そのようにしていた場合、外部装置１０Ｘと内部装置１０Ｙとが作動したとしても照明器具２Ｙが点灯しないことになり、防犯機能が発揮されない可能性がある。
【０００５】
請求項の発明は、上記のような専ら防犯のために使用する照明器具を不要とし、不審者等の接近・侵入が検知されたとき、通常時に使用する照明器具を点灯等させて効果的に犯行を防止できる防犯システムを提供するものである。
【課題を解決するための手段】
【０００６】
請求項に記載した発明の防犯システムは、
・  家屋（住居・営業所等のいずれをも含む）内または家屋付近に、電灯線に接続した照明器具を設けるとともに人感センサーを設け、
・  人感センサーが発する人感信号を受けて、上記照明器具が消灯しているときそれ（上記照明器具）を点灯もしくは点滅させ、または上記照明器具が点灯しているときそれ（上記照明器具）を点滅させるコントローラーを、上記照明器具とは並列に電灯線に接続して設けた
ことを特徴とする。人感センサーとしては、人の存在を感知して信号（人感信号）を発する種々の手段を含む。
【０００７】
この防犯システムによれば、家屋や居室に人が接近しまたは侵入したとき、そのことを人感センサーが検知して人感信号を発信し、当該人感信号を受けてコントローラーが当該家屋内または家屋付近の照明器具を点灯または点滅させ、もって当該侵入者等による犯行が未然に防止される。たとえば、留守中であって照明器具が消灯されている家屋に不審者が侵入したとき、人感センサーとコントローラの作用により照明器具が点灯または点滅して、その侵入者を威嚇し退散させる。また、たとえば、住人が照明器具を点灯させて特定の居室にいる間に他の居室に不審者が侵入したときは、人感センサーとコントローラとの作用によって、住人のいる居室等の照明器具を点滅させるなどにより、住人に侵入者の存在を知らせる。
【０００８】
上記の照明器具は、上記のとおり防犯目的で使用できるものではあるが、電灯線に対してコントローラーとは並列に接続されたものであって、侵入者等のないときには照明器具として一般的な使用が可能である。つまり、人感センサーが作動しないときには、コントローラーによる操作を受けず、照明器具は、直接に電灯線から受ける電力により手もとのスイッチ等を介して点灯・消灯させることができる。こうした特徴は、図７のシステムのように電灯線（１）に対しコントローラー（内部装置１０Ｙ）をはさんで照明器具（２Ｙ）が接続されている場合とは、大きく相違するものである。
このような特徴があるために、本請求項の発明には、i)専ら防犯のために使用する照明器具を用意する必要がない、ii)通常の生活に必要な十分な光量を発するよう家屋内に配置された照明器具（天井照明など）を点灯・点滅させるので、侵入者等を強く驚かせ威嚇することができ、その者を退散させる効果が得られやすい、iii)照明器具として一般的な通常どおりの使用を可能としながらも不審者検知時の機能を確保できるため、使いやすいうえ設定ミスによる不動作が発生しがたい、という利点がある。
【０００９】
発明の防犯システムでは、とくに、
・  通常時に点灯および消灯させるための通常操作スイッチを上記の照明器具が有しているのに対し、
・  人感センサーによる人感信号に応じて動作し、上記照明器具が消灯しているときそれ（上記照明器具）を点灯もしくは点滅させ、または上記照明器具が点灯しているときそれ（上記照明器具）を点滅させる特異操作スイッチを、上記のコントローラーに設ける
こととするのが好ましい。
【００１０】
このようにした防犯システムでは、照明器具について、通常操作スイッチにより通常どおりの一般的な使用をなすとともに、人感センサーが侵入者等を検知して人感信号を発信したときには、コントローラーにおける特異操作スイッチがその照明器具を点灯または点滅させる。照明器具の一般的な使用を可能にしながら侵入検知時のコントローラーによる照明器具の点灯等を、簡単で安価なスイッチ構成により実現できる、という利点がある。
通常操作スイッチと特異操作スイッチとは、たとえば、図２のように電灯線に対して並列に接続するとよい。その場合、特異操作スイッチをオフにしておくと通常操作スイッチにて自由に照明器具を点灯・消灯させることができ、また通常操作スイッチにて照明器具を消灯させているとき、コントローラー内の特異操作スイッチのオン・オフにより照明器具を点灯等させることができる。なお、図２に示す関係とは別に、通常操作スイッチと特異操作スイッチとを、いわゆる三路スイッチ構成に接続するのもよい。
【００１１】
上記発明の防犯システムでは、とくに、
・  上記照明器具を家屋の区域ごと（たとえば各居室と玄関等）に設けるほか、人感センサーも家屋の区域ごと（上記と同様。ただし照明器具を設けた区域と同一にする必要はない）に配置しておき、人感信号を発した人感センサーに応じて、定められた区域の照明器具をコントローラが点灯または点滅させるようにするとよい。
たとえば、人感信号を発した人感センサーが配置された区域で照明器具を点灯等させるようにすると、侵入者等がいる区域にて照明器具が点灯等し、その者の移動に合わせて点灯等する区域も移動することになるので、侵入者等への威嚇効果が高いといえる。また、どの人感センサーが人感信号を発した場合にもたとえば寝室の照明器具を点灯または点滅させることとすれば、住人に警報し警戒させる効果が高くなる。
【００１２】
発明の防犯システムには、家屋内または家屋付近に音声発生器（ベル、ブザー等）を設け、上記のコントローラーには、人感センサーが発する人感信号を受けて当該音声発生器をも動作させるようにするのがさらに好ましい。 ベル等の音声発生器は、侵入者等をきわめて強く威嚇できるほか、近隣の住人等に警報を発する効果をもたらすため、防犯効果が一層に向上するからである。
【００１３】
とくに、上記のコントローラーが、人感センサーが発する人感信号を受けて、先に照明器具を点灯または点滅させ、時間をおいて音声発生器を動作させる、というシステムにするとなお好ましい。
音声発生器が大きな音を発することは、防犯上は好ましいもののたび重なると近隣の迷惑になるうえ、小学校等のように子供が多い場所ではパニックを引き起こすことにもなりかねない。しかしながら、上記のようにまず照明器具を点灯等させ、時間をおいて音声発生器を動作させることとすれば、そのような不都合を適切に回避することができる。たとえば、人感センサーが犬猫を感知する等で誤動作を起こした場合など音声警報が不要な場合には、照明器具が点灯等した段階で住人が音声発生器を動作させないよう処置することにより近隣の迷惑を避けられるほか、小学校等では、照明器具が点滅等した時点で先生等が子供らに事態を説明して穏やかに誘導することが可能になる。
【００１４】
上記のコントローラーによる照明器具の点灯または点滅は、ワイヤレスの手段にて（つまり無線で）行うこととするのが有利である。
発明の防犯システムは、家屋内等に配置された既設の照明器具を利用して構成することができる。しかし、コントローラーによる照明器具の点灯等をこのようにワイヤレスで行うなら、コントローラーと照明器具との間の配線（電線等）が不要になり、既設の照明器具を用いて発明の防犯システムを構成することがとくに容易になる。そのため、建築ずみの家屋等にも、きわめて簡単な工事によって、短期間内に低コストで防犯システムを設けることが可能になる。
【発明の効果】
【００１５】
発明の防犯システムによれば、侵入者等があったとき、ふだん使用されている通常の照明器具を点灯または点滅させることによって犯行の未然防止がはかられる。そうした照明器具について通常どおりの使用を可能としながら防犯目的にもそれを使用するため、i)専ら防犯のために使用する照明器具を用意する必要がない、ii)点灯等させる照明器具がその数や容量からしてかなり明るいため、侵入者等を退散させる効果が高い、iii)照明器具を使いやすいうえ不動作が発生しがたい、という利点がある。
【００１６】
通常操作スイッチのほかに、コントローラーに特異操作スイッチを設けることによって上記照明器具を点灯もしくは点滅させるようにすれば、簡単かつ低コストに防犯システムを構成することができる。
【００１７】
照明器具と人感センサーを家屋の区域ごとに配置し、作動した人感センサーに応じて特定の照明器具を点灯等させるようにすれば、侵入者等への威嚇効果や住人への警報効果が高くなって好ましい。
【００１８】
家屋内等に音声発生器を設けて、人感信号が発信されたとき当該音声発生器をも動作させるようにするなら、侵入者等への威嚇効果や住人への警報効果はさらに高くなる。
その場合、先に照明器具を点灯等させ、時間をおいて音声発生器を動作させることとすれば、近隣への迷惑や子供などのパニックを適切に回避することが可能になる。
【００１９】
コントローラーによる照明器具の点灯等をワイヤレスで行うこととするなら、既設の照明器具を用いて発明の防犯システムを構成することがとくに容易になる。
【発明を実施するための最良の形態】
【００２０】
発明の実施についての一形態を図１〜図３に示す。図１は、家屋Ｈとともに防犯システムＳの全体を示す概念図、図２は、照明器具２とコントローラー１０等との接続を示す結線図、そして図３は、コントローラー１０を含む配電盤１０ａに関するシーケンス図（展開接続図）である。
【００２１】
家屋Ｈでは、図１のように、一般の家屋と同様に１階・２階の各居室天井部に蛍光灯等の照明器具２Ａ・２Ｂが配置され、それぞれ電灯線１に接続されている。玄関先にも照明器具２Ｃがあって電灯線１に接続されている。各照明器具２Ａ・２Ｂは、各居室の壁などに設けられた通常操作スイッチ３Ａ・３Ｂを、一般の家屋におけるのと同じ一般的な要領で操作することにより点灯させ消灯させることができる。照明器具２Ｃについても、玄関付近の通常操作スイッチ３Ｃにより同様に点灯・消灯させることができる。
【００２２】
この家屋Ｈにおいて、留守中などに玄関や窓等から不審者が侵入して窃盗等をはたらくことを防止すべく、防犯システムＳを導入している。導入したシステムＳは、上記の照明器具２Ａ・２Ｂ・２Ｃの電灯線１への接続を変更したりその操作方法を変更したりすることがないように構成し、かつ、それら照明器具２Ａ・２Ｂ・２Ｃを、侵入者または侵入しようとする者への威嚇目的で使用するものである。
【００２３】
図１に示すように、防犯システムＳとしてはまず、コントローラー１０を含む配電盤１０ａを家屋Ｈ内に設置し、電灯線１に対して照明器具２Ａ・２Ｂ・２Ｃとは並列に接続している。各居室および玄関先等には、不審者の侵入・接近を検知するための人感センサー（人の存在を検知する赤外線式センサーなど）４Ａ・４Ｂ・４Ｃをそれぞれ設けており、それらの出力線をコントローラー１０に接続している。また、各居室および玄関先等にはベル５Ａ・５Ｂ・５Ｃを配置しておき、それらにもコントローラー１０を接続した。
【００２４】
コントローラー１０には、上記したように一般的な操作で照明器具２Ａ・２Ｂ・２Ｃが点灯・消灯することを可能にしながら、人感センサー４Ａ・４Ｂ・４Ｃのいずれかが作動した（つまり人感信号を発した）ときには、照明器具２Ａ・２Ｂ・２Ｃを一斉に点灯させたり適宜にベル５Ａ・５Ｂ・５Ｃを鳴らしたりする、といった機能を担わせている。
【００２５】
その機能を実現する目的で、図１のコントローラー１０には、たとえば図２に示す特異操作スイッチ６を内蔵させ、これを、照明器具２（２Ａ・２Ｂ・２Ｃ）の各通常操作スイッチ３（３Ａ・３Ｂ・３Ｃ）と並列に電灯線１に接続している。室内に住人がいるときなど防犯システムＳの電源をオフにしている間は特異操作スイッチ６が開いているようにすれば、通常操作スイッチ３の一般的な操作によって照明器具２を点灯させ消灯させることができる。また、不在にする等のために照明器具２の通常操作スイッチ３をオフにしシステムＳの電源をオンにしている間は、異状があるとき、つまり人感センサー４（４Ａ・４Ｂ・４Ｃ）が作動したとき特異操作スイッチ６が閉じるようにすれば、居室内への侵入者や玄関への接近者があったときに照明器具２を一斉に点灯させることができる。なお、異状時にベル５（５Ａ・５Ｂ・５Ｃ）を鳴動させることは、人感センサー４の信号に応じてコントローラー１０がベル５の接点を閉じる等の構成をとることにより行う。
【００２６】
そのほか、図１の防犯システムＳには、つぎの機能をももたせている。
a)  居室内にある人感センサー４Ａ・４Ｂのいずれかが作動したときには、照明器具２Ａ・２Ｂ・２Ｃを一斉に点灯させ、ベル５Ａ・５Ｂ・５Ｃも同時に鳴動させる。
【００２７】
b)  上記a)で鳴り始めたベル５Ａ・５Ｂ・５Ｃは、人感センサー４Ａ・４Ｂのいずれかが作動する間は繰り返し鳴動させ、いずれもが作動しなくなったのち一定時間後（たとえば５分後）に停止させる。ただし停止後も、人感センサー４Ａ・４Ｂのいずれかが作動すると再びベル５Ａ・５Ｂ・５Ｃは鳴動する。
c)  上記a)で点灯させた照明器具２Ａ・２Ｂ・２Ｃは、ベル５Ａ・５Ｂ・５Ｃの鳴動を停止したのちも点灯させておく。異状があった事実を帰宅した住人に知らせること、および、明るいままにしておいて再度の侵入を防止することがその目的である。
【００２８】
d)  玄関の外にある人感センサー４Ｃが作動したときは、照明器具２Ａ・２Ｂ・２Ｃを一斉に点灯させるものの、ベル５Ａ・５Ｂ・５Ｃはいずれも鳴動させない。犬や猫などを人感センサー４Ｃが不審者とみなして誤作動する場合も考えられるため、ベル音による近所迷惑を避けるためである。玄関に限らず、誤動作しやすい場所や予防的な場所に人感センサーを設けた場合には、その人感センサーからの出力信号を同様に取り扱う。
【００２９】
以上のような機能が実現するよう、防犯システムＳの配電盤１０ａ（コントローラー１０）は、図３に示すシーケンス図に基づいて構成している。人感センサー４Ａ（もしくは図３中には図示を省略した４Ｂ）または４Ｃが作動して電磁リレーＲ１またはＲ２のコイルに電流が流れると、接点Ｒ１またはＲ２が閉じて電磁リレーＸ１・Ｘ２・Ｘ３等に通電され、前記した特異操作スイッチ６（図２）である接点Ｘ１・Ｘ２・Ｘ３が閉じることにより、照明器具２Ａ・２Ｂ・２Ｃ（図１・図２）が点灯する。人感センサー４Ａ（もしくは４Ｂ）の作動時にはさらに、電磁リレーＸ５に通電があることにより、タイマーである電磁リレーＴ２で定めた一定時間（前記のとおりたとえば５分後）までベル５（図２）の電磁リレーＢｅに通電される。
【００３０】
なお、図３において、電磁リレーＳ１・Ｓ２は人感センサー４Ａ・４Ｃの電源を入れるためのもの、また電磁リレーＴ１は、人感センサー４Ａ・４Ｃの特性（起動直後は不安定で誤動作しやすいこと）を補うべくタイムラグを設けるためのタイマーである。
【００３１】
発明の防犯システムについては、異状発生時の照明器具の点灯状況等を、以上に説明したものと異なる態様にすることも可能である。
【００３２】
たとえば、上の例で、人感センサー４Ａまたは４Ｂが作動したとき、照明器具２Ａ・２Ｂ・２Ｃを繰り返し点滅（フリッカー）させるのもよい。その点滅は、ベル５Ａ・５Ｂ・５Ｃを鳴り止ませるまで継続し、ベルの停止後は点滅を止めて点灯状態に保持しておくとよい。
そうするためには、コントローラー１０等をたとえば図４のシーケンス図に基づいて構成する。タイマーＴ２の設定時間内で接点Ｘ５が閉じてベル５の電磁リレーＢｅに通電がある（したがってベル５Ａ・５Ｂ・５Ｃが鳴動する）間は、タイマーＴ３・Ｔ４の作用で電磁リレーＸ１・Ｘ２・Ｘ３等への通電・停止が繰り返され、接点Ｘ１・Ｘ２・Ｘ３が開閉を繰り返す結果、照明器具２Ａ・２Ｂ・２Ｃが点滅をする。そしてタイマーＴ２の作用でベル５が停止したのちは、タイマーＴ３の接点Ｔ３が閉じた状態に保たれて、照明器具２Ａ・２Ｂ・２Ｃは点灯状態に維持される。
【００３３】
また、学校やオフィスなどで、生徒や職員が在室していて照明器具が点灯している間に他の室内等に不審者の侵入等があり得る場合には、点灯している照明器具を、いずれかの人感センサーが作動したとき点滅させるようにするのがよい。点灯中の照明器具が点滅を始めたことが教師・職員等への警報となり、いきなりベルが鳴動するよりもパニックを招きにくいからである。
そうするには、図４のシステムにさらに一部改変を加え、図５のように、照明回路の幹線部分に電磁開閉器ＭＧを使用して、照明器具２Ａ・２Ｂ・２Ｃを点滅させるようにするとよい。
【００３４】
営業所や事務所等で照明器具の点灯・消灯と防犯システムのＯＮ・ＯＦＦとを適切に切り換えるためには、図６のように回路を構成するのもよい。図６の例では、職員の出社時および退社時にメインスイッチＳＷ−Ａを操作することとすれば、それに合わせて防犯システムによるセキュリティがＯＮ・ＯＦＦされる。たとえば退社の際にスイッチＳＷ−Ａを切ると、図示下段の電磁リレーＭ１への通電が停止し、図示上段のブレーク接点Ｍ１が閉じてセキュリティが機能し得る状態になる。すなわち、人感センサーとして机の引き出し等にスイッチＳＷ−Ｂを設けておくと、それが閉じたとき、電磁リレーＲ１・Ｒ２・Ｍ２および接点Ｍ２等の作用により、タイマーＴ１で定めた一定時間だけ室内の照明器具が点灯しベルが鳴る。一方、出社時等にスイッチＳＷ−Ａを入れると、室内の同じ照明器具を点灯させ得るようになるとともに、電磁リレーＭ１への通電によってブレーク接点Ｍ１が開き、セキュリティが停止状態になる。なお、電話や冷蔵庫など電源を切るのが不適切な物は、当該スイッチＳＷ−Ａによる切断・接続ができないようにすべきである。
【００３５】
ところで、発明の防犯システムに使用できる人感センサーには、たとえば下記のものがある。すなわち、1)人感センサースイッチ、2)赤外線センサー、3)自動ドア等に使用されているタッチセンサースイッチ、4)自動ドア等に使用されている重力感知センサースイッチ、5)窓やドア等に使用されているマグネットセンサースイッチ、6)リミットスイッチ、7)手動スイッチ、8)市販の防犯システムにおける外部出力の接点、9)近接センサースイッチ、10)振動センサースイッチ、11)超音波センサースイッチ----などが使用できる。
【図面の簡単な説明】
【００３６】
【図１】家屋Ｈとともに防犯システムＳの全体を示す概念図である。
【図２】照明器具２とコントローラー１０等との接続を示す結線図である。
【図３】コントローラー１０を含む配電盤１０ａに関するシーケンス図（展開接続図）である。
【図４】防犯システムＳの機能の一部を改変するための配電盤１０ａに関するシーケンス図である。
【図５】防犯システムＳの機能の一部をさらに改変するための配電盤１０ａに関するシーケンス図である。
【図６】防犯システムＳの機能の一部をさらに改変するための配電盤１０ａに関するシーケンス図である。
【図７】従来の防犯システムを示す模式図である。
【符号の説明】
【００３７】
Ｈ  家屋
Ｓ  防犯システム
１  電灯線
２（２Ａ・２Ｂ・２Ｃ）  照明器具
３（３Ａ・３Ｂ・３Ｃ）  通常操作スイッチ
４（４Ａ・４Ｂ・４Ｃ）  人感センサー
５（５Ａ・５Ｂ・５Ｃ）  ベル
６  特異操作スイッチ
１０  コントローラー
１０ａ  配電盤
【図１】
2008310825.tif 000003
【図２】
2008310825.tif 000004
【図３】
2008310825.tif 000005
【図４】
2008310825.tif 000006
【図５】
2008310825.tif 000007
【図６】
2008310825.tif 000008
【図７】
2008310825.tif 000009